【手続補正書】
【提出日】平成17年8月15日(2005.8.15)
【手続補正１】
【補正対象書類名】明細書
【補正対象項目名】特許請求の範囲
【補正方法】変更
【補正の内容】
【特許請求の範囲】
【請求項１】  下記式Ｉによって表される、少なくとも1個のビシクロ−オルトエステル基および少なくとも1個の他の官能基を含む化合物を含むコーティング組成物、
【化１】
2001514276.tif 000001
［式中、ｘおよびｙは独立して１〜１０から選択され；
Ａは下記式IIに従う構造を有し、
【化２】
2001514276.tif 000002
ここで、ＸおよびＺは互いに独立して、所望により酸素または窒素原子を含む、１〜４個の炭素原子を有する直鎖または分岐鎖のアルキレンまたはアルケニレン基から選択され、
Ｙは、存在しないか、ＸおよびＺから独立して、所望により酸素または窒素原子を含む、１〜４個の炭素原子を有する直鎖または分岐鎖のアルキレンまたはアルケニレン基から選択され、
Ｒ1およびＲ2の一方は、水素、ヒドロキシル、１〜３０個の炭素原子を含むアルキルまたはアルケニル基（直鎖または分岐鎖であってよく、所望により、酸素、窒素、硫黄およびエステルの群から選択される１以上のヘテロ原子および基を含み得る）を含む１価の残基の群から選択され、
Ｒ1およびＲ2の他方は、１〜１０個の炭素原子を有するアルキレンまたはアルケニレン基（直鎖または分岐鎖であってよく、酸素、窒素、硫黄およびエステルの群から選択される１以上のヘテロ原子および基を含み得る）を含む２価の残基の群から選択される；
Ｂは、１〜４０個の炭素原子を有する芳香族、脂肪族、脂環式およびアリール脂肪族炭化水素基（それらの基は、直鎖または分岐鎖であってよく、酸素、窒素、硫黄、リン、スルホン、スルホキシ、アミン、アミド、尿素、ウレタンおよびエステルの群から選択される１以上のヘテロ原子および基を含み得る）、エステル基、エーテル基、アミド基、チオエステル基、チオアミド基、ウレタン基ならびに尿素基を含む２価の残基の群から選択され；
Ｃは、下記式から選択される官能基である、
【化３-１】
2001514276.tif 000003
2001514276.tif 000004
2001514276.tif 000005
ここで、Ｒ3は、１〜１０個の炭素原子を有するアルキレンまたはアルケニレン基（直鎖または分岐鎖であってよく、所望により、エーテル、エステル、尿素、ウレタン、アミドおよびアミンの群から選択される１以上の基を含み得る）の群から選択され、Ｒ4、Ｒ5、Ｒ6、Ｒ7およびＲ8は、互いに独立して、１〜１０個の炭素原子を有するアルキルまたはアルケニル基（直鎖または分岐鎖であってよい）の群から選択される］。
【請求項２】  Cが、下記式から選択されるヒドロキシル反応性官能基である、請求項１記載のコーティング組成物、
【化３-２】
2001514276.tif 000006
2001514276.tif 000007
［式中、Ｒ3は、１〜１０個の炭素原子を有するアルキレンまたはアルケニレン基（直鎖または分岐鎖であってよく、所望により、エーテル、エステル、尿素、ウレタン、アミドおよびアミンの群から選択される１以上の基を含み得る）の群から選択され、Ｒ4、Ｒ5、Ｒ6、Ｒ7およびＲ8は、互いに独立して、１〜１０個の炭素原子を有するアルキルまたはアルケニル基（直鎖または分岐鎖であってよい）の群から選択される］。
【請求項３】  Ｘ、ＹおよびＺがメチレンであることを特徴とする請求項１または２記載のコーティング組成物。
【請求項４】  Ｒ1およびＲ2の一方が、１〜２０個の炭素原子を有する直鎖または分岐鎖のアルキルまたはアルケニル基の群から選択される１価の残基であることを特徴とする請求項１記載のコーティング組成物。
【請求項５】  １価の残基がメチルおよびエチルの群から選択されることを特徴とする請求項４記載のコーティング組成物。
【請求項６】  Ｒ1およびＲ2の他方が、−Ｏ−Ｃ1-10−であることを特徴とする請求項１記載のコーティング組成物。
【請求項７】  Ｂが、式Ｄ（ＮＣＯ）k（ｋは２以上である）によって表される有機ポリイソシアネート化合物から誘導されることを特徴とする請求項１記載のコーティング組成物。
【請求項８】  Ｄ（ＮＣＯ）kが、Ｂが下記化学構造を有するように、ヘキサメチレンジイソシアネートのビウレットであることを特徴とする請求項７記載のコーティング組成物。
【化４】
2001514276.tif 000008
【請求項９】  Ｃが、式XIVおよびXVIIから選択されることを特徴とする請求項１記載のコーティング組成物、
【化５】
2001514276.tif 000009
［式中、Ｒ3、Ｒ4およびＲ5は請求項1で定義した通りである］。
【請求項１０】  Ｒ4およびＲ5がメチルまたはエチルであり、Ｒ3が下記式XLIV〜XLVIから選択される基であることを特徴とする請求項９記載のコーティング組成物。
【化６】
2001514276.tif 000010
【請求項１１】  コーティング組成物が、イソシアネート、エポキシ、アセタール、カルボキシル、無水物およびアルコキシシラン基の群から選択される少なくとも２個のヒドロキシル反応性基を含む第二化合物を含み、あるいは第二化合物がアミノ樹脂であることを特徴とする請求項１記載のコーティング組成物。
【請求項１２】  少なくとも２個のヒドロキシル反応性基を含む第二化合物が、少なくとも２個のイソシアネート基を含む脂肪族、脂環式もしくは芳香族化合物、またはそれらの付加物であることを特徴とする請求項１１記載のコーティング組成物。
【請求項１３】  少なくとも２個のヒドロキシル反応性基を含む第二化合物がイソシアヌレートの群から選択されることを特徴とする請求項１２記載のコーティング組成物。
【請求項１４】  少なくとも１個のビシクロ−オルトエステル基および少なくとも１個の他の官能基を含む化合物（ａ）ならびに少なくとも２個のヒドロキシル反応性基を含む第二化合物（ｂ）を含むコーティング組成物において、化合物（ａ）が４−エチル−１−（エトキシカルボニルメチル）−２，６，７−トリオキサビシクロ［２．２．２］オクタンであり、化合物（ｂ）がヘキサメチレンジイソシアネートのイソシアヌレートに基づく脂肪族ポリイソシアネートであることを特徴とするコーティング組成物。
【請求項１５】  ビシクロ−オルトエステル基の潜在的なヒドロキシル基を水の存在下、所望により第一触媒の存在下で脱保護し、第一および／または第二化合物のヒドロキシル反応性基と、所望により第二触媒の存在下で反応させることを特徴とする請求項１〜１４のいずれか１項記載のコーティング組成物を硬化させる方法。
【請求項１６】  下記式に従う、少なくとも1個のビシクロ−オルトエステル基および少なくとも1個の他の官能基を含む化合物の製造法において、少なくとも1個の対応するオキセタン基を有する化合物を１８０℃より上の温度で触媒量のジブチルスズオキサイドの存在下で転化させる方法。
【化７】
2001514276.tif 000011
【手続補正２】
【補正対象書類名】明細書
【補正対象項目名】００１２
【補正方法】変更
【補正の内容】
【００１２】
【化８】
2001514276.tif 000012
ここで、ｘおよびｙは独立して１〜１０から選択され；
Ａは下記式IIに従う構造を有し、
【化９】
2001514276.tif 000013
ここで、ＸおよびＺは互いに独立して、所望により酸素または窒素原子を含む、１〜４個の炭素原子を有する直鎖または分岐鎖のアルキレンまたはアルケニレン基から選択され、
Ｙは、存在しないか、ＸおよびＺから独立して、所望により酸素または窒素原子を含む、１〜４個の炭素原子を有する直鎖または分岐鎖のアルキレンまたはアルケニレン基から選択され、
Ｒ1およびＲ2の一方は、水素、ヒドロキシル、１〜３０個の炭素原子を含むアルキルまたはアルケニル基（直鎖または分岐鎖であってよく、所望により、酸素、窒素、硫黄およびエステルの群から選択される１以上のヘテロ原子および基を含み得る）を含む１価の残基の群から選択され、
Ｒ1およびＲ2の他方は、１〜１０個の炭素原子を有するアルキレンまたはアルケニレン基（直鎖または分岐鎖であってよく、酸素、窒素、硫黄およびエステルの群から選択される１以上のヘテロ原子および基を含み得る）を含む２価の残基の群から選択される；
Ｂは、１〜４０個を有する炭素原子の芳香族、脂肪族、脂環式およびアリール脂肪族炭化水素基（それらの基は、直鎖または分岐鎖であってよく、酸素、窒素、硫黄、リン、スルホン、スルホキシ、アミン、アミド、尿素、ウレタンおよびエステルの群から選択される１以上のヘテロ原子および基を含み得る）、エステル基、エーテル基、アミド基、チオエステル基、チオアミド基、ウレタン基ならびに尿素基を含む２価の残基の群から選択され；
Ｃは、下記式から選択される官能基である、
【化１０】
2001514276.tif 000014
2001514276.tif 000015
2001514276.tif 000016
ここで、Ｒ3は、１〜１０個の炭素原子を有するアルキレンまたはアルケニレン基（直鎖または分岐鎖であってよく、所望により、エーテル、エステル、尿素、ウレタン、アミドおよびアミンの群から選択される１以上の基を含み得る）の群から選択され、Ｒ4、Ｒ5、Ｒ6、Ｒ7およびＲ8は、互いに独立して、１〜１０個の炭素原子を有するアルキルまたはアルケニル基（直鎖または分岐鎖であってよい）の群から選択される。